【手続補正書】
【提出日】平成17年11月21日(2005.11.21)
【手続補正１】
【補正対象書類名】明細書
【補正対象項目名】請求項５
【補正方法】変更
【補正の内容】
【請求項５】  各前記デジタル電流源は、
所定電圧および第３の内部ノードとそれぞれ接続されたソースおよびドレインを有する第２の電界効果型トランジスタと、
前記第２の電界効果型トランジスタのゲート・ソース間電圧を保持するように接続された第３のキャパシタと、
前記第２の電界効果型トランジスタのゲートおよびドレイン間に設けられ、前記較正動作時にオンする一方で前記電流出力時にオフする第３のスイッチ素子と、
前記較正動作時に、対応の前記ビット重み付け電流の基準レベルを示す第２の基準電流を前記第３の内部ノードへ供給する第２の基準電流供給部と、
前記第３の内部ノードと前記ビット重み付け電流が生成される第２の出力ノードとの間に設けられ、前記較正動作時に両者を切離す一方で、前記電流出力時に前記上位ｊビットのうちの対応の１ビットに応じて両者を接続する第４のスイッチ素子とを含む、請求項３または４記載の表示装置。
【手続補正２】
【補正対象書類名】明細書
【補正対象項目名】請求項７
【補正方法】変更
【補正の内容】
【請求項７】  重み付けされたｎビット（ｎ：３以上の整数）の表示信号に基づいた階調表示を行なう表示装置であって、
各々が、供給された電流に応じた輝度を発する電流駆動型発光素子を有する複数の画素と、
前記複数の画素を所定の方式で周期的に選択するための走査部と、
前記走査部によって選択された少なくとも１つの前記画素に対して、前記表示信号に応じたデータ電流を供給するためのデータ電流発生回路とを備え、
前記データ電流発生回路は、
前記表示信号の下位ｋビット（ｋ：２≦ｋ≦（ｎ−１）で示される整数）に応じて設定される第１の入力電圧に対応した第１の出力電流を生成する第１のアナログ電流源と、前記表示信号の上位ｊビット（ｊ：ｎ−ｋで示される整数）に応じて設定される第２の入力電圧に対応した第２の出力電流を生成する第２のアナログ電流源とを含み、かつ、前記第１および第２の出力電流の和を前記データ電流として供給し、
前記第１の出力電流の範囲は、前記第２の出力電流の範囲よりも低電流側に設定され、
前記第１および第２のアナログ電流源の各々は、前記入力電圧と前記第１および第２の出力電流の各々との対応を示す特性線上の所定の一点における較正機能を有し、
前記所定の一点は、前記第１および第２のアナログ電流源において、前記第１および第２の出力電流の範囲内にそれぞれ設定される、表示装置。
【手続補正３】
【補正対象書類名】明細書
【補正対象項目名】請求項８
【補正方法】変更
【補正の内容】
【請求項８】  第１の前記アナログ電流源は、
較正動作時に所定の初期電圧が印加される一方で電流出力時に前記第１の入力電圧が印加される第１の入力ノードと、
前記第１の入力ノードの電圧変化を容量結合によって第１の内部ノードへ伝達するように接続された第１のキャパシタと、
所定電圧および第２の内部ノードとそれぞれ接続されたソースおよびドレインを有し、かつ、前記第１の内部ノードと接続されたゲートを有する第１の電界効果型トランジスタと、
前記第１の電界効果型トランジスタのゲート・ソース間電圧を保持するように接続された第２のキャパシタと、
前記第２の内部ノードと前記第１の出力電流が生成される第１の出力ノードとの間に設けられ、前記較正動作時にオフする一方で前記電流出力時にオンする第１のスイッチ素子と、
前記第１および第２の内部ノード間に設けられ、前記較正動作時にオンする一方で前記電流出力時にオフする第２のスイッチ素子とを含み、
前記第２のアナログ電流源は、
前記較正動作時に所定の初期電圧に設定された後に、前記電流出力時に前記第２の入力電圧が印加される第２の入力ノードと、
前記第２の入力ノードの電圧変化を容量結合によって第３の内部ノードへ伝達するように接続された第３のキャパシタと、
所定電圧および第４の内部ノードとそれぞれ接続されたソースおよびドレインを有し、かつ、前記第３の内部ノードと接続されたゲートを有する第２の電界効果型トランジスタと、
前記第２の電界効果型トランジスタのゲート・ソース間電圧を保持するように接続された第４のキャパシタと、
前記第４の内部ノードと前記第２の出力電流が生成される第２の出力ノードとの間に設けられ、前記較正動作時にオフする一方で前記電流出力時にオンする第３のスイッチ素子と、
前記第３および第４の内部ノード間に設けられ、前記較正動作時にオンする一方で前記電流出力時にオフする第４のスイッチ素子と、
前記較正動作時において、前記第４の内部ノードへ基準電流を供給する基準電流供給部とを含み、
前記基準電流は、前記第２の出力電流の制御範囲内で設定される、請求項７記載の表示装置。
【手続補正４】
【補正対象書類名】明細書
【補正対象項目名】００３８
【補正方法】変更
【補正の内容】
【００３８】
この発明の他の構成に従う表示装置は、重み付けされたｎビット（ｎ：３以上の整数）の表示信号に基づいた階調表示を行なう表示装置であって、各々が、供給された電流に応じた輝度を発する電流駆動型発光素子を有する複数の画素と、複数の画素を所定の方式で周期的に選択するための走査部と、走査部によって選択された少なくとも１つの画素に対して、表示信号に応じたデータ電流を供給するためのデータ電流発生回路とを備え、データ電流発生回路は、表示信号の下位ｋビット（ｋ：２≦ｋ≦（ｎ−１）で示される整数）に応じて設定される第１の入力電圧に対応した第１の出力電流を生成する第１のアナログ電流源と、表示信号の上位ｊビット（ｊ：ｎ−ｋで示される整数）に応じて設定される第２の入力電圧に対応した第２の出力電流を生成する第２のアナログ電流源とを含み、かつ、第１および第２の出力電流の和をデータ電流として供給し、第１の出力電流の範囲は、第２の出力電流の範囲よりも低電流側に設定され、第１および第２のアナログ電流源の各々は、入力電圧と第１および第２の出力電流の各々との対応を示す特性線上の所定の一点における較正機能を有し、所定の一点は、第１および第２のアナログ電流源において、第１および第２の出力電流の範囲内にそれぞれ設定される。
【手続補正５】
【補正対象書類名】明細書
【補正対象項目名】０１０３
【補正方法】変更
【補正の内容】
【０１０３】
アナログ電流源回路１００は、アナログ電流源回路４００と比較して、基準電流スイッチ３７０をさらに有する点で異なる。基準電流スイッチ３７０は、制御信号ＳＭＰに応答して較正動作時にオンして、図示しない基準電流源によって生成された基準電流ＩｒｅｆａをノードＮｄへ供給する。基準電流スイッチ３７０は、電流出力時にはオフされる。その他の部分の構成については、アナログ電流源回路４００と同様であるので詳細な説明は繰返さない。
【手続補正６】
【補正対象書類名】明細書
【補正対象項目名】０１２３
【補正方法】変更
【補正の内容】
【０１２３】
アナログ電流源回路１００および４００の各出力ノードは、対応のデータ線ＤＬと接続されるので、アナログ電流源回路４００の出力電流Ｉｏ１およびアナログ電流源回路１００の出力電流Ｉｏ４の和が、データ電流Ｉｄａｔとしてデータ線ＤＬへ供給される。
【手続補正７】
【補正対象書類名】明細書
【補正対象項目名】０１７７
【補正方法】変更
【補正の内容】
【０１７７】
これに対して、データ電流発生回路３２ｂが較正動作を実行し、データ電流発生回路３２ａが電流出力動作を実行する期間には、入力電圧Ｖｉｎ１ｂ，Ｖｉｎ２ｂはリセット電圧Ｖｒに設定され、入力電圧Ｖｉｎ１ａ，Ｖｉｎ２ａは、実施の形態３で説明したＶｉｎ１，Ｖｉｎ２と同様に設定される。なお、制御信号ＳＭＰａ，ＳＭＰｂおよび制御信号ＯＥａ，ＯＥｂについては、図１５の構成例と同様に設定される。
【手続補正８】
【補正対象書類名】明細書
【補正対象項目名】０１８８
【補正方法】変更
【補正の内容】
【０１８８】
これに対して、データ電流発生回路３０ｂが較正動作を実行し、データ電流発生回路３０ａが電流出力動作を実行する期間には、入力電圧Ｖｉｎ１♯ｂ，Ｖｉｎ２♯ｂはリセット電圧Ｖｒに設定され、入力電圧Ｖｉｎ１♯ａ，Ｖｉｎ２♯ａは、実施の形態５で説明したＶｉｎ１♯，Ｖｉｎ♯２と同様に設定される。なお、制御信号ＳＭＰａ，ＳＭＰｂおよび制御信号ＯＥａ，ＯＥｂについては、図１９の構成例と同様に設定される。